(57)【要約】【課題】空缶の方に残る切口で口唇を切ってしまったり指を切ってしまったりする危険性の無いようにするための工夫および切れ味をよくする工夫を施した新規の缶蓋切除具を提供する。【解決手段】支持体に一方の縦軸および他方の縦軸を回転自在として設け、一方縦軸の上側個所に固定側歯車を同じく下側個所に回転切刃体をそれぞれ回転不能に固定し、また他方縦軸の上側個所に固定側歯車に噛合・離脱する可動側歯車を同じく下側個所に回転溝型受刃体をそれぞれ回転不能に固定し、更に一方縦軸または他方縦軸の上端に操作ハンドルをそれぞれ回転不能に固定すると共に他方縦軸をその軸孔を長孔とするかスライダを介して支承するかして一方縦軸に対して遠近方向に移動可能とし、この他方縦軸を近位置に移動して同近位置にまたは遠位置に移動して同遠位置に保持するための調整ハンドル付きネジ棒等調整装置を上記支持体に設けて成る。【選択図】図１
2005029254.tif 000002
【特許請求の範囲】
【請求項１】
操作ハンドルによって回転し且つ調整ハンドルによって遠近する回転切刃体及び回転溝型受刃体を備え、これら回転切刃体、回転溝型受刃体の回転によって、蓋部の周縁を形成するハゼ締め縁部の内周面に存する立上縁壁部を切り落とすようにされた缶蓋切除具であって、上記回転溝型受刃体の下面に、缶においてハゼ締め縁部に近い個所の外周面に当接した状態で移動するようにされて姿勢維持補助用ガイド輪が設けられたことを特徴とする缶蓋切除具。
【請求項２】
支持体に一方縦軸および他方縦軸を回転自在として設け、一方縦軸の上側個所に固定側歯車を、同じく下側個所に回転切刃体をそれぞれ回転不能に固定し、また他方縦軸の上側個所に固定側歯車に噛合・離脱する可動側歯車を、同じく下側個所に回転溝型受刃体をそれぞれ回転不能に固定し、更に一方縦軸または他方縦軸の上端に操作ハンドルを回転不能に固定すると共に他方縦軸を、その軸孔を長孔とするかスライダを介して支承するかして一方縦軸に対して遠近方向に移動可能にし、この他方縦軸を近位置に移動させて同近位置にまたは遠位置に移動させて同遠位置に保持するための調整ハンドル付きネジ棒等調整装置を上記支持体に設けると共に上記回転溝型受刃体の下面に、缶においてハゼ締め縁部に近い個所の外周面に当接した状態で移動するようにされて姿勢維持補助用ガイド輪が設けられたことを特徴とする缶蓋切除具。
【請求項３】
姿勢維持補助用ガイド輪は、金属、硬質プラスチック等硬質材料製の外輪内にウレタンゴ厶等合成ゴム、天然ゴム等弾性材料製の内輪を嵌着して一体化することにより構成され、内輪２４の弾性によって外輪２３が偏心できるようにされたことを特徴とする請求項１または２記載の缶蓋切除具。
【発明の詳細な説明】
【技術分野】
【０００１】  本発明は、ビール缶、ジュース缶、コーヒー缶等の空缶の蓋部分をきれいに切除するための缶蓋切除具に関する。
【背景技術】
【０００２】  本発明者は、従前、缶の再利用を有利にするための工夫、たとえば蓋を切除した空缶をキャンプ地等においてコップとして使用したり、家庭において小物入れとして使用したりできるようにするための工夫、具体的には、蓋の切除後に空缶の方に残る切口で口唇を切ってしまったり指を切ってしまったりする危険性の無いようにするための工夫および切れ味をよくするための工夫を施した缶蓋切除具を提供した（特開平１１−９１８７４号公報参照）。【０００３】  上記従前の缶蓋切除具は、充分に機能を果たし、期待に応え得るものであったが、本発明者はそれに満足せず更に研究を重ね、より具合がよく且つ使い勝手が好いものを案出するに至ったのである。
【特許文献１】特開平１１−９１８７４号公報
【発明の開示】
【発明が解決しようとする課題】
【０００４】  本発明は、上記従前の缶蓋切除具が有する優れた機能・効果を保持したままで、当該優れた機能・効果と相俟ってより具合がよく且つより使い勝手が好いように工夫した新規の缶蓋切除具を提供することを目的とする。
【課題を解決するための手段】
【０００５】  上記目的を達成するために本発明の請求項１に係る缶蓋切除具は、操作ハンドルによって回転し且つ調整ハンドルによって遠近する回転切刃体及び回転溝型受刃体を備え、これら回転切刃体、回転溝型受刃体の同時回転によって、蓋部の周縁を形成するハゼ締め縁部の内周面に存する立上縁壁部を切り落とすようにされた缶蓋切除具であって、上記回転溝型受刃体の下面に、缶においてハゼ締め縁部に近い個所の外周面に当接した状態で移動するようにされて姿勢維持補助用ガイド輪が設けられたものである。【０００６】  また、請求項２に係る缶蓋切除具は、支持体に一方縦軸および他方縦軸を回転自在として設け、一方縦軸の上側個所に固定側歯車を同じく下側個所に回転切刃体をそれぞれ回転不能に固定し、また他方縦軸の上側個所に固定側歯車に噛合・離脱する可動側歯車を同じく下側個所に回転溝型受刃体をそれぞれ回転不能に固定し、更に一方縦軸または他方縦軸の上端に操作ハンドルを回転不能に固定すると共に他方縦軸を、その軸孔を長孔とするかスライダを介して支承するかして一方縦軸に対して遠近方向に移動可能にし、この他方縦軸を近位置に移動させて同近位置にまたは遠位置に移動させて同遠位置に保持するための調整ハンドル付きネジ棒等調整装置を上記支持体に設けると共に上記回転溝型受刃体の下面に、缶においてハゼ締め縁部に近い個所の外周面に当接した状態で移動するようにされて姿勢維持補助用ガイド輪が設けられたものである。【０００７】  また、請求項３に係る缶蓋切除具は、勢維持補助用ガイド輪は、金属、硬質プラスチック等硬質材料製の外輪内にウレタンゴム等合成ゴム、天然ゴム等弾性材料製の内輪を嵌着して一体化することにより構成され、内輪２４の弾性によって外輪２３が偏心できるようにされたものである。
【発明の効果】
【０００８】  請求項１又は請求項２に係る缶蓋切除具は、上記のように、操作ハンドルによって回転し且つ調整ハンドルによって遠近する回転切刃体及び回転溝型受刃体を備え、これら回転切刃体、回転溝型受刃体の同時回転によって、蓋部の周縁を形成するハゼ締め縁部の内周面に存する立上縁壁部を切り落とすようにされているので、図８に示されていることからも判るように、蓋を切除した空缶の方に残った切口３１は、上記危険性の原因となっている所謂バリがない安全性の高い斜めの切り離し状態に切られると共にハゼ締め縁部は、回転溝型受刃体および回転切刃体による外圧により倒されて上記切口にかぶさった状態、すなわち当該切口が奥に入って手指や口唇が接しにくい状態になるものであって、上記従前の缶蓋切除具が有する優れた機能・効果を同様に果たすものであり、しかも、上記回転溝型受刃体の下面に、缶においてハゼ締め縁部に近い個所の外周面に当接した状態で移動するようにされて姿勢維持補助用ガイド輪が設けられているので、当該姿勢維持補助用ガイド輪が、切り作業中の空缶をぐらつかない（上下に揺れない）安定した姿勢に保持して案内し、不安定な切り方にならないようにする機能を果たすものである。したがって、上記従前の缶蓋切除具が有する優れた機能・効果と相俟ってより具合がよく且つより使い勝手が好い新規の缶蓋切除具が提供できる。【０００９】  請求項３に係る缶蓋切除具は、姿勢維持補助用ガイド輪は、金属、硬質プラスチック等硬質材料製の外輪内にウレタンゴム等合成ゴム、天然ゴ厶等弾性材料製の内輪を嵌着して一体化することにより構成され、内輪２４の弾性によって外輪２３が偏心できるようにされたので、姿勢維持補助用ガイド輪の動きが内輪の弾性による外輪の偏心によってスムーズになり、尚一層具合がよく且つ使い勝手が好い新規の缶蓋切除具が提供できる。
【発明を実施するための最良の形態】
【００１０】  図１及び図２は、本発明に係る缶蓋切除具の実施の形態を示すものであって、図１は全体の一部切截平面図であり、図２は一部切截側面図である。【００１１】  本実施の形態に係る缶蓋切除具は、角棒状の支持体１に前側縦軸２及び後側縦軸３をそれぞれ回転自在に設けて、当該前側縦軸２において支持体１の上側に突出した個所に固定側歯車４と操作ハンドル５を回転不能に固定すると共に同前側縦軸２において支持体１の下側に突出した個所に回転切刃体６を回転不能に固定してあり、また上記後側縦軸３において支持体１の上側に突出した個所に可動側歯車７を回転不能に固定すると共に同後側縦軸３において支持体１の下側に突出した個所に回転溝型受刃体８を回転不能に固定してある。【００１２】  上記後側縦軸３は、その軸孔９を前後に長い長孔になして前後に移動可能にしてある。更に長孔形軸孔９の前側切縁壁に凹窩１０を穿設して当該凹窩１０に後側縦軸３を後方に向って常に押圧するバネ１１を内蔵してある。また同長孔形軸孔９の後側切縁壁に支持体１の後端壁面に貫通するネジ孔１２を穿設し、このネジ孔１２にネジ棒１４を螺入して当該ネジ棒１４の先端を上記後側縦軸３の側面に当接させると共に上記ネジ棒１４の外端に調整ハンドル１３を回転不能に固定してある。【００１３】  更に、上記後側縦軸３は、その下端が回転溝型受刃体８の下面に突出され、この突出部には、缶１６においてハゼ締め縁部１８に近い個所の外周面に当接した状態で移動する姿勢維持補助用ガイド輪１９を設けてある。【００１４】  また、支持体１の前端個所には缶１６の蓋部１７に予め装備されているプルトップ２１の孔に引っ掛けるフック部２２を設けてあるものである。【００１５】  上記の姿勢維持補助用ガイド輪１９は、金属製の外輪２３内にウレタンゴム製の内輪２４を嵌着して一体化することにより構成されたものであって、上記後側縦軸３に装着された状態では、ウレタンゴム製の内輪２４の弾性によって、外輪２３が缶１６の動きに合わせて自由に偏心できるようにされているものである。尚、図中符号２５は姿勢維持補助用ガイド輪１９を抜け外れ不能に装着するためのスプリング押えである。【００１６】  尚、本発明に係る缶蓋切除具は、固定側歯車４と可動側歯車７との歯数を異なる数とするか、回転切刃体６と回転溝型受刃体８の半径を異なる寸法とするか、或はこれ等刃数、寸法の両方を異なる構成とするかする等して、回転切刃体６と回転溝型受刃体８との操作ハンドル５の操作による回転量を異なるようにすることが可能である。このようにした場合には、回転切刃体６が缶１６におけるハゼ締め縁部１８の内面に存する立上縁壁部２６上で僅かにスリップし乍ら同部２６を押し切るような動き（つまり、包丁を引きずらし乍ら刺身を切れ味よく切るような動き）を呈して切れ味をアップする。
【産業上の利用可能性】
【００１７】  上記実施の形態に係る缶蓋切除具は、例えば次のようにして使用できる。【００１８】  先ず、調整ハンドル１３をゆるめて後側縦軸３、可動側歯車７および回転溝型受刃体８をバネ１１の作用力により後退させる。この後退の状態においてフック部２２をプルトップ２１の孔に引っ掛け且つ回転切刃体６の刃先と回転溝型受刃体８の受刃溝との間に缶１６の蓋部１７のハゼ締め縁部１８を位置させる（図４及び図５参照）。【００１９】  この位置を維持し乍ら調整ハンドル１３を回し締めて後側縦軸３、可動側歯車および回転溝型受刃体８を前進させることによって、ハゼ締め縁部１８が受刃体８の受刃溝内に臨入された臨入状態、回転切刃体６の刃先が缶１６の蓋部１７の外周立上縁壁部２６の内面に圧接された圧接状態、姿勢維持補助用ガイド輪１９の外周面が缶１６においてハゼ締め縁部１８に近い個所の外周面に当接された当接状態及び、可動側歯車７が固定側歯車４に噛合された噛合状態にする（図６参照）。【００２０】  これら臨入状態、圧接状態、当接状態、噛合状態（図６参照）のときには、回転切刃体６と回転溝型受刃体８によるハゼ締め縁部１８および立上縁壁部２６の挟み着けと、フック部２２のプルトップ２１への引っ掛けと、姿勢維持補助用ガイド輪１９のハゼ締め縁部１８に近い個所の外周面への当接とにより缶１６の手放しが可能になる。この手放し状態では、図５に示すように、缶１６の向きと支持体１の向きとが略直角を形成するようになることが望ましい。【００２１】  次いで、左手で調整ハンドル１３を持ち右手で操作ハンドル５を持った状態で上記望ましい状態を維持しつつ左手を捻って調整ハンドル１３を更に僅かだけ回し締める。すると、この締め操作によって切刃体６の刃先が立上縁壁部２６に僅かだけ喰い込んだ喰い込み状態部２７を形成する（図６参照）。【００２２】  この喰い込み状態部２７が形成されたところで、左手で調整ハンドル１３を持ったまま缶１６を揺らさないように注意しながら操作ハンドル５に回し操作を加える。すると、当該操作ハンドル５の回転によって固定側歯車４と可動側歯車７とが噛合状態で反対方向の向きに回転すると共にこれら歯車４，７の回転によって回転切刃体６と回転溝型受刃体８も一緒に反対方向の向きに回転する。【００２３】  この回転切刃体６と回転溝型受刃体８との反対向き回転によって立上縁壁部２６およびハゼ締め縁部１８は、これら回転切刃体６、回転溝型受刃体８間に引き込まれながら沿い進むことになる。この場合、実際には上記手放し状態の缶１６が上記沿い進みによってゆっくり回転しながら上記喰い込み状態部２７が立上縁壁部１９に連続して形成され、浅い切り込み線ができる。因みに、上記沿い進みは、ハゼ締め縁部１８が電車の線路の役目を果たし、この線路の上を回転溝型受刃体８が電車の車輪として進むことを連想すれば容易に理解できるであろう。【００２４】  そして、上記浅い切り込み線が一周したところで、上記操作ハンドル５への回し操作を止め、この止めたのちに再び調整ハンドル１３を１回転（場合によっては２回転以上でも可）させて上記喰い込みを更に深くし、当該より深くした状態で上記操作ハンドル５の回転操作を行って、より深い喰い込みの切り込��線状部２９を得る。そして、数回の作業で段階的に徐々に深くして更に深い切り込み線状部を得るようにする。【００２５】  一方、上記のように繰り返し行う切り込み線状部を得る作業のときには、調整ハンドル１３の締付けの度に回転切刃体６が回転溝型受刃体８に近くなって、断面くの字状の折れ出し状態部３０が形成される。【００２６】  上記のようにして、切り込み線状部が深くなり、断面くの字状の折れ出し状態部３０が徐々に小さい角度になると、上記立上縁壁部２６はついには切り離れ、蓋部１７は缶１６の中に落ちることになる。尚、この落ちた蓋部１７は、上記したようにプルトップ２１がフック部２２に引っかかっているので、その取り除きは容易且つ安全に行なうことができ、当該蓋部１７の切り縁で手を切ってしまうというような事故を回避できる。【００２７】  この落ちたことを目視で確認した時点で切り込み線部を得る作業をストップする。このストップ後に調整ハンドル１３をゆるめて全体を缶１６から外し、切り落ちた蓋部を上記フック部２２の引っ掛けを利用して缶１６より抜き取って作業を完了する。尚、上記確認後も引き続いて切り込み線部を得る作業を更に続けるとハゼ締め縁部１８全部を切り落してしまうので注意が必要である。このようなことが起きないようにするには、後側縦軸３のストロークを規制することで可能になる。【００２８】  因みに、上記実施の形態に係る缶蓋切除具を用いてアルミ缶の蓋を切除したときの様子を工程順に拡大断面で示すと図６〜図８の通りであった。【００２９】  すなわち、図６は、ハゼ締め縁部１８が受刃体８の受刃溝内に臨入され且つ回転切刃体６の刃先が缶１６の蓋部１７の外周立上縁壁部２６の内面に圧接され且つ姿勢維持補助用ガイド輪１９の外周面が缶１６においてハゼ締め縁部１８に近い個所の外周面に当接された状態及び可動側歯車７が固定側歯車４に噛合された状態を示している。図７は、回転切刃体６の刃先を喰い込ませて操作ハンドル５の回転操作を行うことによって切り込み線を得たときの状態を示している。図８は切り込み線を段階的に深くすることによって蓋部１７が切り離れ落ちた瞬間を示しているものである。
【図面の簡単な説明】
【００３０】
【図１】実施の形態を示す一部省略平面図である。
【図２】同じく一部省略平面図である。
【図３】実施の形態の使用状態を示す正面図である。
【図４】同じく一部省略平面図である。
【図５】同じく一部省略側面図である。
【図６】切除工程の初期状態を示す要部の拡大断面図である。
【図７】同じく中期状態を示す要部の拡大断面図である。
【図８】同じく後期状態を示す要部の拡大断面図である。
【符号の説明】
【００３１】  １  支持体
２  前側縦軸
３  後側縦軸
４  固定側歯車
５  操作ハンドル
６  回転切刃体
７  可動側歯車
８  回転溝型受刃体
９  軸孔
１０  凹窩
１１  バネ
１２  ネジ孔
１３  調整ハンドル
１４  ネジ棒
１６  缶
１７  蓋部
１８  ハゼ締め縁部
１９  姿勢維持補助用ガイド輪
２１  プルトップ
２２  フック部
２３  外輪
２４  内輪
２５  スプリング押え
２６  立上縁壁部
２７  喰い込み状態部
２９  切り込み線
３０  くの字状折れ出し状態部
３１  切口
【図１】
2005029254.tif 000003
【図２】
2005029254.tif 000004
【図３】
2005029254.tif 000005
【図４】
2005029254.tif 000006
【図５】
2005029254.tif 000007
【図６】
2005029254.tif 000008
【図７】
2005029254.tif 000009
【図８】
2005029254.tif 000010